(57)【要約】 【課題】   従来多くの逆さぶら下がり健康具が提案されているが、これらの使用時はシーソー状ベッドに上向きで後方に反転し、逆さまにぶら下がる為に、健常者は元より障害者や高齢で筋肉が弱くなった人が後方に倒れる事に大きな恐怖心が有り、逆さぶら下がり健康具の有効性は理解しながら使用が進まないのが現状である。【解決手段】    三脚状台の三脚状台脚部にチェーンの長さで脚部開脚角度を調整する一対の負荷調整機構と三脚状足頂部にシーソー状ベッド支点軸を置く支点部材と該支点部材にシーソー状ベッドを設け、該シーソー状ベッドの一方に体吊り兼反転用フックと、該フックに足首吊り具を設備し、その延長上の前記シーソー状ベッド支点軸付近に身長調整部を設け、他方に体の上半身を保持する平板状台を設備し、前記三脚状台脚部の前記平板状台側の脚部に一対の操作ステーを設けたことを特徴とする逆さぶら下がり健康具。【選択図】  図１
2017064008.tif 000002
【特許請求の範囲】
【請求項１】
三脚状台の三脚状台脚部にチェーンの長さで脚部開脚角度を調整する一対の負荷調整機構と三脚状足頂部にシーソー状ベッド支点軸を置く支点部材と該支点部材にシーソー状ベッドを設け、該シーソー状ベッドの一方に体吊り兼反転用フックと、該フックに足首吊り具を設備し、その延長上の前記シーソー状ベッド支点軸付近に身長調整部を設け、他方に体の上半身を保持する平板状台を設備し、前記三脚状台脚部の前記平板状台側の脚部に一対の操作ステーを設けたことを特徴とする逆さぶら下がり健康具。
【発明の詳細な説明】
【技術分野】
【０００１】
本発明は、逆さぶら下がり健康具に関する
【背景技術】
【０００２】
従来から、重力に逆らい２足歩行をすることで、最も重たい頭を支えて活動する事で骨格の歪みや、椎間板の潰れによる椎間板ヘルニア等色々な不具合が発生する。これらを解消する為に多くの逆さぶら下がり健康具が提案されている。これらの逆さぶら下がり健康具はベッド状の物に腹を上にした上向きで寝た状態で、後方に倒れ逆さまの逆さぶら下がり状態になるものである。
【先行技術文献】
【特許文献】
【０００３】
【特許文献１】特開平１０−２４４０１８
【特許文献２】特開昭６１−１３１７４５
【非特許文献】
【０００４】
【非特許文献１】Ｆ５０００−３逆さぶら下がり健康具
【発明の概要】
【発明が解決しようとする課題】
【０００５】
特許文献１・特許文献２や非特許文献１では、腹を上にした上向き状態で、逆さぶら下がりになる為に、健常者は元より身障者や筋力の低下した高齢者が腹を上にした上向きで後方に倒れるのは、倒れる時の足首吊り具の異常や負荷調整機構の設定ミスや故障の異常が出た時、上向き状態では対応しきれないと言う非常に大きな恐怖心が生まれていた。この時後方に倒す為に高価な動力源を使用し、多くのスペースを使用する物が有る。
【課題を解決するための手段】
【０００６】
本発明に係る逆さぶら下がり健康具は、三脚状台頂部にシーソー状ベッドを設け、該ベッドの一端に体吊り兼反転用フックと該フックに足首吊り具を設置し、中央部に身長調整部と負荷調整機構を設け、その延長上の他端部に体の上半身を保持する平板状台を設備し、前記三脚状台の前記平板状台側の脚部に一対の操作ステーを設けたことを特徴とするものである。
【０００７】
つまり従来品では、準備段階で上向きになったまま逆さまになるので、装置設定ミスによるもしもという誤動作に簡単に対応できないという恐怖心が発生していた。それを無くするため、本発明は足首に足首吊り具を取付け、身長調整など基本設定を終えた後、体吊り兼反転用フックに足首吊り具を掛ける。この状態で腹を下にした下向き状態でシーソー状ベッドにうつぶせになって寝た後、操作ステーを握り引くことで、シーソー状ベッドを回転させるようにしたものである。その状態から反転可能な体吊り兼反転フックを中心に操作ステーを握りシーソー状ベッド上で体を反転し腹を上にした上向きになることで恐怖
をなく安心して背筋を伸ばす逆さぶら下がり状態になれるものである。
【０００８】
すなわち、従来の発明品はいずれも腹を上にした上向きで、逆さに倒れ逆さにぶら下がりに成る為に、倒れる時に非常に強い恐怖心を感じて利用頻度が低下している要因となっている。しかしながら本発明は逆さぶら下がりになる時は腹を下にした下向き状態で安心して逆さぶら下がりになり、その後逆さにぶら下がった状態でシーソー状ベッドの上で操作ステーを使って反転し、腹を上にした上向き状態になれる装置である。
【発明の効果】
【０００９】
従来の逆さぶら下がり健康具は上向きで後ろに倒れる事により、健常者でも大きな恐怖心を感じている。まして障害者や筋力が弱くなっている高齢者では、使用時の足首吊り具のずれや負荷設定の設定ミスにより思う以上に傾く等の異常が発生した時に対応しきれないと言う恐怖心で、良いものであるにもかかわらず使用されていなかった。本発明の逆さぶら下がり健康具は、この恐怖心を取り除くことを課題としており、逆さぶら下がりになる前に腹を下にした下向き状態でシーソー状ベッドを抱え安心しながらシーソー状ベッドを傾け、頭部を下にする逆さま状態になれる。その後逆さまになった状態でシーソー状ベッドの上で体を反転させ、上向きになり背中をシーソー状ベッドに当て背筋を伸ばす状態になれる。従来から言われている逆さぶら下がりになる事が安心して得られるものである。
【図面の簡単な説明】
【００１０】
【図１】本発明の逆さぶら下がり健康具の正面図
【図２】本発明の逆さぶら下がり健康具の底面図
【図３】本発明の逆さぶら下がり健康具の左側面図
【図４】本発明の逆さぶら下がり健康具の足首吊り具平面図
【図５】本発明の逆さぶら下がり健康具の足首吊り具取付け状態図
【図６】本発明の逆さぶら下がり健康具の他の負荷調整機構の平面図
【図７】本発明の逆さぶら下がり健康具の使用状況を示す参考図である。
【発明を実施するための形態】
【００１１】
以下、本発明に係る逆さぶら下がり健康具を実施するための最良の形態について、図面を参照しつつ説明する。
【実施例】
【００１２】
図１は本発明を実施した実施例である。三脚状台１頂部のシーソー状ベッド支点軸１２を中心にシーソー状ベッド２を設けた事を基本とする。
【００１３】
このシーソー状ベッド２は中央にシーソー状ベッド支点軸１２を固定した支持部材２７を設け、該支持部材２７の一方に足部台２８、他方に平板状台７をそれぞれ設置してある。
【００１４】
上記の足部台２８は、一端にコの字状凹１３を形成し、この凹部に体吊り兼反転用フック３と足首吊り具４を設備し、他端方向に複数個の身長調整穴１６設け、これを支持部材２７の中央に設けた勘合穴に貫通させる。
【００１５】
また、支持部材２７の底部に固定したシーソー状ベッド支点軸１２に、三脚状台脚部２６の頂点部に設けた穴に、垂直方向に回転自在になるように通し、ナットで抜け止め防止をする。
【００１６】
足首吊り具４は足吊りベルト１０の一方に足首固定リング１４とベルト固定部１５を設け、他方には足吊りリング１１を設ける。この足吊りリング１１を足首固定リング１４に通した後に足吊り兼反転用フック３に掛ける。
【００１７】
負荷調整機構６は三脚状台１の三脚状台脚部２６の一方にチェーン２３を固定し、他方の三脚状台脚部２６にチェーンフック２４を設ける。このチェーンフック２４にチェーン２３の長さを調整して掛ける事で床からのシーソー状ベッド支点軸１２の高さが決まり、同時にシーソー状ベッド２を傾け平板状台７の先端が床に接触する傾斜角が決定する。この傾斜角により個人の身体に及ぼす負荷力が決められる。このチェーン２３の長さ調節することで負荷調整が行える機構となっている。
【００１８】
シーソー状ベッド２の頭部側、三脚状台脚部２６にはシーソー状ベッド２を傾けるときに両手を添えるための一対の操作ステー８を設ける。
【００１９】
三脚状台脚部２６の負荷調整機構６の開脚角度を固定するためのチェーン２３は必ずしもチェーン方法でなければならないわけではなく、板状金属板に複数個の穴を設け一端を三脚状台脚部２６の一方に回転自在に取り付け、他端は三脚状台脚部２６の他方に設けたキノコ型ピンに離脱可能にするなど三脚開脚角度を固定・解除できる仕組みであれば他の方法でもよい。
【００２０】
支持部材２７上部には湾曲部を持った腰を安定保持させるための腰置き台１７を設ける。
【００２１】
図２、図３は本発明の逆さぶら下がり健康具の底面図、左側面図を示し、身長調整部５はシーソー状ベッド２の中央部付近に設けられ、支点部材２７の底面にシーソー状ベッド支点軸１２を固定し、三脚状台１の頂部に開けた貫通穴に抜け止めを施し回転自在に勘合させてある。身長調整用レバー１８のピンは身長調整スプリング１９を介し支点部材２７の側面を貫通し、さらに足部台２８に設けた身長調整穴１６をも貫通する様に設けてある。
【００２２】
図４は、足首吊り具４を示し、足吊りベルト１０の一端には足首固定リング１４とベルト固定部１５を設け、他端には足吊りリング１１を設ける。  
【００２３】
図５は、足首吊り具４の取付けた状態を示し、初めに足首固定リング１４を足首内側くるぶし上方に置く、その後足吊りベルト１０をベルト固定部１５の上を通し、足首に１回転させる、最後に足吊りリング１１を足首固定リング１４の中を通し、足内側の土ふまず近辺に仮置きする。
【００２４】
図６は負荷調整機構６の別の方法の正面図を示す。これは支持部材２７のシーソー状ベッド支点軸１２と同軸で溝付きドラム２０を固定して設け、これにワイヤー２１を数回巻き付ける。ワイヤー２１の一端は三脚状台１の足吊り側三脚状台脚部２６に設けたワイヤー止め２５に固定する。他端のワイヤー２１は負荷調整スプリング２２の一方に固定、更に負荷調整スプリング２２の他方はロックレバー９に固定し、該ロックレバー９を平板状台７側三脚状台脚部２６の操作ステー８に設ける。
【００２５】
図７は本発明の逆さぶら下がり健康具の使用状況を示す参考図で、A図は足首吊り具４を足首に取付け、体吊り兼反転用フック３に取付けた状態を示す。B図は腹這いでシーソー状ベッド２を抱え込む状態を示す。C図は操作ステー８を握り引く事でシーソー状ベッド２を傾斜させ安心して逆さぶら下がり状態に回転する状態を示す。D図は安心して逆さぶら下がり状態になった後に、片側の操作ステー８を握りシーソー状ベッド２の上で体吊り兼反転用フック３の軸を中心に上向き状態に反転し背筋を伸ばした形で逆さぶら下がり状態を示す。
【００２６】
次に上記構成の作動態様を説明する。
はじめに、シーソー状ベッド２の傾き角度を調整し負荷調整するために、三脚状台１の一方の三脚状台脚部２６に固定したチェーン２３を、他方の三脚状台脚部２６に設けたチェーンフック２４に適切な位置に掛ける事で適宜角度に開脚し負荷調整をする。
【００２７】
その後、両足首それぞれに足首吊り具４の足首固定リング１４を内側くるぶしの位置に当て、次に足吊りベルト１０をベルト固定部１５の上を通して足首に１回巻付ける。ベルト固定部１５は足吊りベルト１０との間の滑り抵抗で足吊りベルト１０が締まりすぎる事を防止する。その後この足吊りベルト１０の他端に付けた足吊りリング１１を足首固定リング１４に通し、足吊りリング１１を土ふまずの位置に仮置きする。この状態で体吊り兼反転用フック３をまたいだ状態で立って足吊りリング１１を体吊り兼反転用フック３に掛ける。
【００２８】
この状態で、前に倒れシーソー状ベッド２を前向きの腹這い状態で抱える。その後支点部材２７に設けられている身長調整部５の身長調整用レバー１８を引く事で、身長調整用レバー１８に設けたピンが身長調整穴１６から外れ、足部台２８が自由になる。この状態で腰置き台１７に両腕を置き、体を上下させる事で、この足首吊り具４で連結された足部台２８を支点部材２７に設けた穴内をスライドさせ身長調整をする。その後に骨盤が腰置き台１７の位置にくるように合わせた後に、身長調整用レバー１８を離す事で身長調整スプリング１９により身長調整用レバー１８に設けたピンが身長調整穴１６に勘合し足部台２８が固定される。
【００２９】
身長調整後に、両手で操作ステー８を握り手前に引く事でシーソー状ベッド２が回転し、腹を下にした腹這い状態で安心して逆さぶら下がり状態になれる。その後平板状台７の端が床に接触する事で設定の負荷調整を完了する。
【００３０】
負荷調整後に、一方の操作ステー８を握りシーソー状ベッド２上で体吊り兼反転用フック３を中心に体を反転する。この時脚部台２８に設けたコの字状凹１３でつま先が脚部台２８に当たるのを防止しながら腹を上にした上向き状態となる事ができる。
【００３１】
反転時、初め骨盤を腰置き台１７の位置に合わせ逆さぶら下がりに成った時に、足首吊り具４の弛み等のクリアランスで体の重心がシーソー状ベッド支点軸１２より頭の方向に移動する。この事でシーソー状ベッド２が逆回転し足が下に成る事を防止し、安定した状態で逆さぶら下がり状態を維持できる。
【００３２】
元の状態に戻る時は今の動作の逆を行うとよく、シーソー状ベッド２上で体を反転させ腹ばい状態になり、操作ステー８を押すことでシーソー状ベッド２を元の足を下にした状態にする。その後に体吊り兼反転用フック３より足吊りリング１１を取り外す。さらに足首より足首吊り具４を外す事で一連の操作を終了する。
【００３３】
図６は別の負荷調整機構６を示す。これはシーソー状ベッド２を腹這いで抱えた状態になった後に、ロックレバー９を戻す事で負荷調整スプリング２２が弛みブレーキ状態が解除される。この状態で操作ステー８を握り引く事で、シーソー状ベッド２を回転する。その後シーソー状ベッド２が適切な角度に回転した後に、ロックレバー９を倒す事で負荷調整スプリング２２によりワイヤー２１が引かれることで、溝付きドラム２０にワイヤー２１が巻付きブレーキが掛りシーソー状ベッド２の回転が固定され負荷調整が完了する。
【００３４】
すなわち、従来の手動による逆さぶら下がり健康具はいずれも腹を上にした上向きで、逆さに倒れ逆さにぶら下がる為に、倒れる時に非常に強い恐怖心を感じて利用頻度が低下している要因となっている。しかしながら本発明は逆さぶら下がりになる時は腹を下にした下向き状態で安心して逆さぶら下がりになり、その後逆さにぶら下がった状態でシーソー状ベッド２の上で操作ステー８を使って反転し腹を上にした上向き状態になれる装置である。
さらに、チェーン２３で三脚台脚部２６の開脚角度を決め負荷調整する事で、高価な動力源も使用せず、三脚台脚部２６を閉じ、さらに足部台２８を支持部材２７に収める事でコンパクトに収納のも可能となる。
【産業上の利用可能性】
【００３５】
本発明は、健康維持に好適に利用する事ができる。
【符号の説明】
【００３６】
１    三脚状台
２    シーソー状ベッド
３    体吊り兼反転用フック
４    足首吊り具
５    身長調整部
６    負荷調整機構
７    平板状台
８    操作ステー
９    ロックレバー
１０  足吊りベルト
１１  足吊りリング
１２  シーソー状ベッド支点軸
１３  コの字状凹
１４  足首固定リング
１５  ベルト固定部
１６  身長調整穴
１７  腰置き台
１８  身長調整用レバー
１９  身長調整スプリング
２０  溝付きドラム
２１  ワイヤー
２２  負荷調整スプリング
２３  チェーン
２４  チェーンフック
２５  ワイヤー止め
２６  三脚状台脚部
２７  支点部材
２８  足部台
【図１】
2017064008.tif 000003
【図４】
2017064008.tif 000004
【図６】
2017064008.tif 000005
【図７】
2017064008.tif 000006
【図２】
2017064008.tif 000007
【図３】
2017064008.tif 000008
【図５】
2017064008.tif 000009